(57)【特許請求の範囲】
【請求項１】
バンド本体と、
このバンド本体の一端部に取り付けられた係合部材と、
前記バンド本体の他端部に取り付けられた紐部材と、
この紐部材に取り付けられて前記係合部材に係脱可能に係止されるフック部材と、
このフック部材を前記係合部材に係止させて前記紐部材を引っ張ることにより締め付け、この状態で前記紐部材の締め付けを緩めて解除する締付け部材とを備え、
前記締付け部材は、前記フック部材に取り付けられた第１、第２締付けリングと、前記フック部材の後端に取り付けられた解除リングとを備え、前記紐部材が前記第１締付けリングに挿入されて折り返され、この折り返された前記紐部材が前記第２締付けリングに挿入され、この状態で前記係合部材に前記フック部材を係止させて前記紐部材を引っ張ることにより、前記第１、第２締付けリングによって前記紐部材を締め付けて固定し、この状態で前記解除リングにより前記フック部材の先端を支点として前記フック部材を回動させることにより、前記第１、第２締付けリングによる前記紐部材の締め付けを緩めることを特徴とするバンド。
【請求項２】
リスト部品が着脱可能に取り付けられる第１バンドと、
この第１バンドの一端部に取り付けられた係合部材と、
前記第１バンドの他端部に取り付けられた紐部材と、
この紐部材に取り付けられて前記係合部材に係脱可能に係止されるフック部材と、
このフック部材を前記係合部材に係止させて前記紐部材を引っ張ることにより締め付け、この状態で前記紐部材の締め付けを緩めて解除する締付け部材と、
前記第１バンドに重なり合うように、当該第１バンドの下部位置に配設された第２バンドとを備え、
前記締付け部材は、前記フック部材に取り付けられた第１、第２締付けリングと、前記フック部材の後端に取り付けられた解除リングとを備え、前記紐部材が前記第１締付けリングに挿入されて折り返され、この折り返された前記紐部材が前記第２締付けリングに挿入され、この状態で前記係合部材に前記フック部材を係止させて前記紐部材を引っ張ることにより、前記第１、第２締付けリングによって前記紐部材を締め付けて固定し、この状態で前記解除リングにより前記フック部材の先端を支点として前記フック部材を回動させることにより、前記第１、第２締付けリングによる前記紐部材の締め付けを緩めることを特徴とするバンド。
【請求項３】
前記第２バンドは、前記第１バンドの下部位置に重なり合って配置され、この状態で前記第２バンドの一部が前記紐部材の近傍に位置する前記第１バンドの前記他端部側に取り付けられていることを特徴とする請求項２記載のバンド。
【請求項４】
前記第２バンドの両端の位置には、これら両端を着脱可能に係止させる係止部材を備えていることを特徴とする請求項２または３記載のバンド。
【請求項５】
前記バンド本体には、リスト部品が取り付けられていることを特徴とする請求項１記載のバンド。
【請求項６】
前記第１バンドと前記第２バンドの対向面には、これらを着脱可能に係止させる係止部材を備えていることを特徴とする請求項２〜４のいずれか記載のバンド。
【請求項７】
前記リスト部品は、腕時計であり、この腕時計のバンド取付部を介して、前記腕時計が取り付けられることを特徴とする請求項２または５記載のバンド。
【発明の詳細な説明】
【０００１】
【発明の属する技術分野】
この発明は、時計バンドなどのバンドに関する。
【０００２】
【従来の技術】
従来、腕時計ケースに取り付けられる時計バンドには、図１７に示すような構造のものがある。すなわち、この時計バンドは、伸縮自在なゴム製のバンド本体１を有し、このバンド本体１の一端部に雌バックル２が取り付けられ、他端部に雄バックル３が取外し可能に取り付けられ、この雄バックル３をバンド本体１から取り外した状態で、腕時計ケース４に取り付けられた２つのバンド取付部５の各挿通孔６にバンド本体１を挿通させることにより、バンド本体１に腕時計ケース４を取り付け、この後、バンド本体１の他端部に雄バックル３を取り付けるように構成されている。
【０００３】
この場合、雌バックル２は、バンド本体１の一端部が挿入する取付孔２ａを有し、この取付孔２ａにバンド本体１の一端部が挿入して折り返され、この折り返されて重なり合う部分同士が固定されることにより、バンド本体１の一端部に取り付けられている。また、雄バックル３は、バンド本体１の他端部が挿入する２つの取付孔３ａ、３ｂを有し、バンド本体１の他端部を一方の取付孔３ａに挿入した上、更にその先端部を他方の取付孔３ｂに挿入して折り返すことにより、バンド本体１の他端部に着脱可能に取り付けられている。なお、腕時計ケース４は、その上面に時計ガラス７が装着され、下面に裏蓋８が取り付けられ、内部に時計モジュール９が収納された構成になっている。
【０００４】
【発明が解決しようとする課題】
しかしながら、このような時計バンドでは、伸縮自在なゴム製のバンド本体１の一端部に雌バックル２が取り付けられ、他端部に雄バックル３が取り付けられた構成であるから、バンド本体１を腕に取り付ける際に、雌バックル２と雄バックル３との両者の位置が安定せずにふらつきやすく、このため片手で雌バックル２と雄バックル３とを装着しにくいという問題がある。
また、この時計バンドでは、バンド本体１の他端部を雄バックル３の２つの取付孔３ａ、３ｂに順次折り返しながら挿入することにより、雄バックル３をバンド本体１の他端部に着脱可能に取り付ける構成であるから、雄バックル３によりバンド本体１の長さを調節しても、雄バックル３の取付部分が緩んでしまうことがあり、このような場合には再度バンド本体１の長さを調節しなければ、腕に良好にフィットさせることができないという問題もある。
【０００５】
この発明の課題は、腕などに対するバンド本体の着脱操作性が良く、かつ腕などに良好にフィットさせて取り付けることができるようにすることである。
【０００６】
【課題を解決するための手段】
この発明は、このような課題を解決するために、次のような構成を備えている。
この請求項１記載の発明は、バンド本体と、このバンド本体の一端部に取り付けられた係合部材と、前記バンド本体の他端部に取り付けられた紐部材と、この紐部材に取り付けられて前記係合部材に係脱可能に係止されるフック部材と、このフック部材を前記係合部材に係止させて前記紐部材を引っ張ることにより締め付け、この状態で前記紐部材の締め付けを緩めて解除する締付け部材とを備え、
前記締付け部材は、前記フック部材に取り付けられた第１、第２締付けリングと、前記フック部材の後端に取り付けられた解除リングとを備え、前記紐部材が前記第１締付けリングに挿入されて折り返され、この折り返された前記紐部材が前記第２締付けリングに挿入され、この状態で前記係合部材に前記フック部材を係止させて前記紐部材を引っ張ることにより、前記第１、第２締付けリングによって前記紐部材を締め付けて固定し、この状態で前記解除リングにより前記フック部材の先端を支点として前記フック部材を回動させることにより、前記第１、第２締付けリングによる前記紐部材の締め付けを緩めることを特徴とするバンドである。
【０００７】
請求項２記載の発明は、リスト部品が着脱可能に取り付けられる第１バンドと、この第１バンドの一端部に取り付けられた係合部材と、前記第１バンドの他端部に取り付けられた紐部材と、この紐部材に取り付けられて前記係合部材に係脱可能に係止されるフック部材と、このフック部材を前記係合部材に係止させて前記紐部材を引っ張ることにより締め付け、この状態で前記紐部材の締め付けを緩めて解除する締付け部材と、前記第１バンドに重なり合うように、当該第１バンドの下部位置に配設された第２バンドとを備え、
前記締付け部材は、前記フック部材に取り付けられた第１、第２締付けリングと、前記フック部材の後端に取り付けられた解除リングとを備え、前記紐部材が前記第１締付けリングに挿入されて折り返され、この折り返された前記紐部材が前記第２締付けリングに挿入され、この状態で前記係合部材に前記フック部材を係止させて前記紐部材を引っ張ることにより、前記第１、第２締付けリングによって前記紐部材を締め付けて固定し、この状態で前記解除リングにより前記フック部材の先端を支点として前記フック部材を回動させることにより、前記第１、第２締付けリングによる前記紐部材の締め付けを緩めることを特徴とするバンドである。
【０００８】
請求項３記載の発明は、前記第２バンドが、前記第１バンドの下部位置に重なり合って配置され、この状態で前記第２バンドの一部が前記紐部材の近傍に位置する前記第１バンドの前記他端部側に取り付けられていることを特徴とする請求項２記載のバンドである。
請求項４記載の発明は、前記第２バンドの両端の位置に、これら両端を着脱可能に係止させる係止部材を備えていることを特徴とする請求項２または３記載のバンドである。
【０００９】
請求項５記載の発明は、前記バンド本体に、リスト部品が取り付けられていることを特徴とする請求項１記載のバンドである。
請求項６記載の発明は、前記第１バンドと前記第２バンドの対向面に、これらを着脱可能に係止させる係止部材を備えていることを特徴とする請求項２〜４のいずれか記載のバンドである。
請求項７記載の発明は、前記リスト部品が、腕時計であり、この腕時計のバンド取付部を介して、前記腕時計が取り付けられることを特徴とする請求項２または５記載のバンドである。
【００１０】
【発明の実施の形態】
［第１実施形態］
以下、図１〜図７を参照して、この発明を時計バンドに適用した第１実施形態について説明する。なお、図１７に示された従来例と同一部分には同一符号を付し、その説明は省略する。
この時計バンドは、腕時計ケース４が取り付けられる第１バンド１０に第２バンド１１が重ね合わされて取り付けられるバンド本体Ｔと、第１バンド１０と第２バンド１１とを着脱可能に取り付ける第１係止部材１２とを備えている。第１バンド１０は、伸縮しにくい布製の上シート１３と下シート１４との二重構造であり、腕時計ケース４に取り付けられた２つのバンド取付部５の各挿通孔６に挿通することにより、腕時計ケース４が取り付けられる構成になっている。第２バンド１１は、伸縮しにくい布製、あるいは伸縮性のあるゴム製のバンドであり、その両端部１１ａ、１１ｂを互いに係脱可能に係止する第２係止部材１５を備えた構成になっている。
【００１１】
そして、第１バンド１０は、その長さが第２バンド１１よりも短く形成されており、その一端部（図１では右端部１０ａ）には後述する紐１６が取り付けられ、他端部（同図では左端部１０ｂ）にはＤ字状の係合リング１７が取り付けられている。この場合、第１バンド１０の右端部１０ａは、その上シート１３の右端部が紐１６の一部を包み込んで折り返され、この折り返された部分が下シート１４に縫合により取り付けられているとともに、第２バンド１１にも縫合により取り付けられている。また、第１バンド１０の左端部１０ｂは、上シート１３の左端部が係合リング１７に挿入されて折り返され、この折り返された部分が下シート１４のみに縫合により取り付けられ、これにより第２バンド１１に対し自由な状態になっている。なお、第１バンド１０の右端部１０ａ側の上面、つまり上シート１３の右端部側の上面には、織ネームシート１３ａが取り付けられている。
【００１２】
第１係止部材１２は、第１バンド１０と第２バンド１１とが対向する対向面にそれぞれ設けられた一対の面状ファスナ（マジックテープ）１２ａ、１２ｂからなり、一方の面状ファスナ１２ａが第１バンド１０の下シート１４の下面に設けられ、他方の面状ファスナ１２ｂが第２バンド１１の上面に設けられている。この場合、第１バンド１０側の面状ファスナ１２ａは、腕時計ケース４と対応する下シート１４の個所に設けられ、第２バンド１１側の面状ファスナ１２ｂは、腕時計ケース４と対応する個所から第２バンド１１の左端部１１ｂに亘って長く設けられている。
第２係止部材１５は、第２バンド１１を腕などに巻き付けるように湾曲させた際、その両端部１１ａ、１１ｂが重なり合う部分の対向面に設けられた一対の面状ファスナ１５ａ、１２ｂからなり、第２バンド１１の右端部１１ａにおける下面に一方の面状ファスナ１５ａが設けられ、第２バンド１１の左端部１１ｂにおける上面に設けられる他方の面状ファスナが第１係止部材１２の面状ファスナ１２ｂの左端部側で兼用された構成になっている。
【００１３】
一方、紐１６は、そのほぼ中間部分が第１バンド１０の右端部１０ａに取り付けられて両側に別れ、その２本が第１バンド１０の右端部１０ａよりも右側に延び、この延びた個所にフック部材１８が締付け金具１９により取り付けられ、この締付け金具１９で折り返された上、その各先端部分に留め具２０が取り付けられた構成になっている。なお、第１バンド１０の右端部１０ａと締付け金具１９との間に位置する紐１６には、紐規制駒（紐規制部材）２１が紐１６に沿って移動可能に取り付けられている。
フック部材１８は、図３および図４に示すように、長方形状の金属板からなり、その先端（図４（ａ）では右端部）にフック部１８ａが下側に湾曲して折り返されて形成され、第１バンド１０の長手方向に沿う両側辺に両側部１８ｂがそれぞれ下側に折り曲げられて形成され、この両側部１８ｂに長孔１８ｃが第１バンド１０の長手方向に沿って設けられた構成になっている。
【００１４】
締付け金具１９は、図３〜図５に示すように、両側に別れた外側の２本の紐１６が図５（ａ）において右側から左側に挿入して折り返される第１締付けリング１９ａと、この第１締付けリング１９ａで折り返された内側の２本の紐１６が右側から左側に挿通する第２締付けリング１９ｂと、フック部材１８の後端を引き上げてフック部材１８を回動させることにより、第１、第２締付けリング１９ａ、１９ｂによる紐１６の締め付けを緩めるための解除リング１９ｃとを備えている。第１、第２締付けリング１９ａ、１９ｂは、図３（ｂ）に示すように、その一部がそれぞれフック部材１８の両側部１８ｂの長孔１８ｃ内に移動自在に挿入され、これにより図４（ａ）に示すように第１締付けリング１９ａが右側に、第２締付けリング１９ｂが左側に位置した状態で、フック部材１８に取り付けられている。解除リング１９ｃは、その一部がフック部材１８の両側部１８ｂの後端（図４（ａ）では左端部）に回動自在に取り付けられている。
【００１５】
この場合、第１締付けリング１９ａは、図３（ｃ）および図４（ｂ）に示すように、フック部材１８の両側部１８ｂから両側に紐１６の太さ程度突出する長方形状に形成されている。第２締付けリング１９ｂは、図３（ｃ）に示すように、フック部材１８の両側部１８ｂの近傍から上方に突出し、第１締付けリング１９ａよりも幅の狭いＤ字形状に形成されている。解除リング１９ｃは、図３（ａ）および図４（ａ）に示すように、フック部材１８の後端（同図では左端部）から後方に突出する長円形状に形成されいる。この解除リング１９ｃには、これがフック部材１８の上方に回動したときに、フック部材１８の両側部１８ｂにそれぞれ当接して回動位置を規制する位置規制突起（位置規制部）２２が設けられている。
【００１６】
このような締付け金具１９は、図２に示すように両側に別れた外側の２本の紐１６がフック部材１８の両側部１８ｂに沿って第２締付けリング１９ｂの外側を通り、この紐１６が第１締付けリング１９ａに図５（ａ）において左側から右側に挿入されて折り返され、この折り返された内側の２本の紐１６が束ねられて第２締付けリング１９ｂに図５（ａ）において右側から左側に挿通され、この状態でフック部材１８のフック部１８ａを係合リング１７に係止させて内側の２本の紐１６をフック部材１８から離れる方向に引っ張ることにより、第１、第２締付けリング１９ａ、１９ｂが紐１６を締め付けて固定し、この状態で解除リング１９ｃを引き起こしてフック部材１８の後端を押し上げ、先端のフック部１８ａを支点としてフック部材１８を回動させることにより、第１、第２締付けリング１９ａ、１９ｂで締め付けられた紐１６を緩めるように構成されている。
【００１７】
なお、留め金具２０は、図２に示すように、両側に別れた２本の紐１６の各先端部分を束ねて留めるためのものであり、長さを調整して切断された紐１６の各先端部分を挾み付けることにより、紐１６の各先端部分に取り付けられている。また、紐規制駒２１は、図２および図６に示すように、両端が円形状の細長い棒状の駒本体２１ａを有し、その両端部に外側の２本の紐１６が挿通する貫通孔２１ｂが設けられ、この駒本体２１ａの中間部分に締付け金具１９で折り返された内側の２本の紐１６を束ねた状態で係止する係止凹部（係止部）２１ｃが設けられた構成になっている。
【００１８】
次に、このような時計バンドの作用について説明する。
この時計バンドを腕に取り付ける場合には、図７に示すように、まず、第２バンド１１を腕に沿って湾曲させて巻き付け、この第２バンド１１の左端部１１ｂの上に第２バンド１１の右端部１１ａを重ね合わせて、第２係止部材１５により第２バンド１１の右端部１１ａと左端部１１ｂとを係合させ、これにより第２バンド１１を腕に仮固定する。この状態で、第１バンド１０の左端部１０ｂに取り付けられた係合リング１７に、第１バンド１０の右端部１０ａの紐１６に取り付けられたフック部材１８のフック部１８ａを係止させて、留め金具２０側の紐１６をフック部材１８から離れる方向に引っ張る。これにより、第１バンド１０が第２バンド１１を締め付けて腕にフィットさせながら、紐１６が締付け金具１９の第１、第２締付けリング１９ａ、１９ｂによって締め付けられて固定される。このため、腕に対する時計バンドの取付操作性が良く、しかも紐１６を引っ張るときの強さを調節することにより、腕に対する時計バンドのフィット状態を簡単に調節でき、緩んだりせずに時計バンドを腕に良好にフィットさせて取り付けることができる。なお、この後は、留め金具２０側の紐１６を紐規制駒２１の係止凹部２１ｃに挿入させて係止させるとともに、留め金具２０を図２に示すように両側に別れた２本の紐１６の間に配置して係止させる。これにより、留め金具２０および紐１６がぶらぶらして邪魔にならないように固定することができる。
【００１９】
また、この時計バンドを腕から取り外す場合には、まず、留め金具２０側の紐１６を紐規制駒２１の係止凹部２１ｃから取り出して腕時計ケース４側に移動させることにより、締付け金具１９の解除リング１９ｃを露出させる。この解除リング１９ｃを摘んで持ち上げると、解除リング１９ｃに設けられた位置規制突起２２がフック部材１８の両側部１８ｂにそれぞれ当接して、解除リング１９ｃの回動位置が規制され、これにより解除リング１９ｃが摘みやすくなる。この状態で、解除リング１９ｃによりフック部材１８の後端を引き上げて、先端のフック部１８ａを支点としてフック部材１８を上方に回動させて係合リング１７側に倒すと、第１、第２締付けリング１９ａ、１９ｂによる紐１６の締め付けを簡単に緩めて解除することができる。このため、フック部材１８を再び元の状態に回動させると、紐１６が緩んだ分だけ、係合リング１７に対するフック部１８ａの係合に遊びができ、これにより簡単かつ容易にフック部１８ａを係合リング１７から取り外すことができる。この後は、第２バンド１１の両端部１１ａ、１１ｂを引き離して、第２バンド１１の第２係止部材１５による係合を解除することにより、時計バンドを腕から簡単に取り外すことができる。
【００２０】
また、この時計バンドを交換する場合には、図１に示すように、まず、第１バンド１０の左端部１０ｂと第２バンド１１の左端部１１ｂとを上下方向に引き離して、第１係止部材１２の各面状ファスナ１２ａ、１２ｂを互いに引き離し、第１係止部材１２による第１バンド１０と第２バンド１１との係合を解除することにより、第１バンド１０の左端部１０ｂを第２バンド１１から取り外して自由状態にする。この状態で、第１バンド１０の左端部１０ｂを腕時計ケース４の２つのバンド取付部５の各挿通孔６から引き出すことにより、腕時計ケース４を第１バンド４から簡単に取り外すことができる。また、第１バンド１０の左端部１０ｂを腕時計ケース４の２つのバンド取付部５の各挿通孔６に順次挿通させて第１係止部材１２により第１バンド１０と第２バンドとを係合させることにより、腕時計ケース４を第１バンド１０に簡単に取り付けることができるとともに、第１バンド１０と第２バンド１１とを相互に取り付けることができる。これにより、簡単かつ速やかに時計バンドを交換することができる。
【００２１】
このように、この時計バンドでは、腕に対する着脱操作性が良く、かつ緩んだりせずに腕に良好にフィットさせて取り付けることができ、しかも腕時計ケース４に対するバンド交換が簡単かつ速やかにできるほか、特に第１バンド１０が第２バンド１１よりも短く形成され、この第１バンド１０の両端部１０ａ、１０ｂを紐１６により係合リング１７およびフック部材１８を介して連結する構成であるから、腕に取り付けた際に、時計バンドが二重構造であっても、バンド全体が厚く見えず、デザイン的に好ましいものが得られる。
【００２２】
なお、上記第１実施形態では、締付け金具１９の解除リング１９ｃに位置規制突起２２を設け、この位置規制突起２２がフック部材１８の両側部１８ｂに当接することにより、解除リング１９ｃの回動位置を規制するようにしたが、これに限らず、例えば図８に示すように、フック部材１８の両側部１８ｂの各外面に位置規制突起２２を設け、解除リング１９ｃがフック部材１８の上方に回動したときに、この解除リング１９ｃが位置規制突起２２を乗り越えることにより、解除リング１９ｃの回動位置を規制するように構成しても良い。
【００２３】
また、上記第１実施形態では、フック部材１８の後端に解除リング１９ｃを取り付け、この解除リング１９ｃによりフック部材１８の後端を引き上げてフック部材１８を回動させるようにしたが、これに限らず、例えば図９に示すように、第１締付けリング１９ａの一端部に解除操作部２３を上方に突出させて一体に形成しても良い。このような構造では、解除操作部２３を摘んで第１締付けリング１９ａを第２締付けリング１９ｂから離れる方向に回動させることにより、第１、第２締付けリング１９ａ、１９ｂによって締め付けられた紐１６を緩めて解除することができ、このため第１実施形態のような別部品としての解除リング１９ｃが不要となり、部品点数を削減でき、組立て作業性も良く、低価格なものを得ることができる。
【００２４】
さらに、上記第１実施形態では、紐１６に移動可能に取り付けられた紐規制駒２１の駒本体２１ａに係止凹部２１ｃを設け、この係止凹部２１ａで留め金具２０側の紐１６を束ねた状態で係止するようにしたが、これに限らず、例えば図１０に示すように、第２バンド１１の右端部１１ａ側の所定個所に紐規制シート２４を縫合により取り付けて留め金具２０側の紐１６を束ねた状態で係止するように構成しても良い。この紐規制シート２４は、第２バンド１１の幅よりも長い帯状の布などからなり、第２バンド１１の右端部１１ａに延びた外側の２本の紐１６上を覆った状態で、紐１６を横切るように第２バンド１１上にその上辺と紐規制シート２４の上端とを対応させて配置され、この状態で上端部および外側の２本の紐１６の両側部分が縫合により紐１６が挿通可能な状態で取り付けられている。そして、この紐規制シート２４には、その上端部側と下端部側とを係脱可能に係止する一対の面状ファスナ２５ａ、２５ｂからなる係止部２５が設けられている。このような紐規制シート２４では、締付け金具１９で折り返された紐１６を外側の２本の紐１６の間に紐規制シート２４を横切って配置し、この状態で紐規制シート２４の下端部側を上辺側に折り返し、係止部２５で上端部と下端部とを係止させることにより、締付け金具１９で折り返された紐１６がぶらぶらして邪魔にならないように固定することができる。
【００２５】
［第２実施形態］
次に、図１１（ａ）〜図１１（ｃ）を参照して、この発明を時計バンドに適用した第２実施形態について説明する。なお、図１〜図７に示された第１実施形態と同一部分には同一符号を付し、その説明は省略する。
この時計バンドは、紐１６に取り付けられるフック部材２６および締付け金具２７が異なる以外は第１実施形態と同じ構成になっている。この場合、紐１６は、第１実施形態と同様、第１バンド１０の右端部１０ａに取り付けられている。フック部材２６は、図１１（ａ）および図１１（ｂ）に示すように、１枚の金属板を左端部で円弧状に湾曲させて折り返し、その上板部２６ａの右端部の両端２６ｃを下側に湾曲させて下板部２６ｂの下面に溶着し、この下板部２６ｂの右端部を上板部２６ａの湾曲された両端２６ｃの間を通して右方に突出させ、この突出した部分にフック部２６ｄを下側に湾曲させて折り返すことにより形成し、左端部側の上板部２６ａと下板部２６ｂとの一部分を切り抜いて円形状に湾曲させることにより、左端部に円形状の取付部２６ｅを形成した構成になっている。
【００２６】
締付け金具２７は、図１１（ａ）〜図１１（ｃ）に示すように、第１実施形態とほぼ同様、両側に別れた外側の２本の紐１６が右側から左側に挿入して折り返される第１締付けリング２７ａと、この第１締付けリング２７ａで折り返された内側の２本の紐１６が右側から左側に挿通する第２締付けリング２７ｂと、フック部材２６の後端を引き上げてフック部材２６を回動させることにより、第１、第２締付けリング２７ａ、２７ｂによる紐１６の締め付けを緩めるための解除リング２７ｃとを備えている。第１、第２締付けリング２７ａ、２７ｂは、その一部がそれぞれフック部材２６の上板部２６ａと下板部２６ｂとの間に移動自在に挿入され、これにより第１締付けリング２７ａが右側に、第２締付けリング２７ｂが左側に位置した状態で、フック部材２６に取り付けられている。解除リング２７ｃは、その一部がフック部材２６の左端部の取付部２６ｅに回動自在に取り付けられている。
【００２７】
この場合、第１締付けリング２７ａは、図１１（ａ）および図１１（ｂ）に示すように、フック部材２６の両側から紐１６の太さ程度突出する長円形状に形成されている。第２締付けリング２７ｂは、図１１（ｂ）に示すように、フック部材２６の両側辺の近傍から上方に突出し、第１締付けリング２７ａよりも幅の狭いＤ字形状に形成されている。解除リング２７ｃは、図１１（ａ）に示すように、フック部材２６の後端の取付部２６ｅに取り付けられる部分がほぼ矩形状に折り曲げられ、その後方（図１１（ａ）では左方）に向けて次第に広がる部分が三角形状に形成されいる。
【００２８】
このような締付け金具２７は、第１実施形態と同様、図２に示す両側に別れた外側の２本の紐１６がフック部材２６の両側辺に沿って第２締付けリング２７ｂの外側を通り、この紐１６が第１締付けリング２７ａに左側から右側に挿入されて折り返され、この折り返された内側の２本の紐１６が束ねられて第２締付けリング２７ｂに右側から左側に挿通され、この状態でフック部材２６のフック部２６ｄを係合リング１７に係止させて２本の紐１６をフック部材２６から離れる方向に引っ張ることにより、第１、第２締付けリング２７ａ、２７ｂが紐１６を締め付けて固定し、この状態で解除リング２７ｃを引き起こしてフック部材２６の後端の取付部２６ｅを押し上げ、先端のフック部２６ｄを支点としてフック部材２６を回動させることにより、第１、第２締付けリング２７ａ、２７ｂで締め付けられた紐１６を緩めるように構成されている。
【００２９】
このような時計バンドでは、腕に取り付ける際、第１実施形態と同様、第２バンド１１を腕に巻き付けて、第２バンド１１の右端部１１ａと左端部１１ｂとを第２係止部材１５により係合させることにより、第２バンド１１を腕に仮固定し、この状態で第１バンド１０の左端部１０ｂの係合リング１７に第１バンド１０の右端部１０ａの紐１６に取り付けられたフック部材２６のフック部２６ｄを係止させて、紐１６をフック部材２６から離れる方向に引っ張ることにより、第１バンド１０が第２バンド１１を締め付けて腕にフィットさせながら、紐１６が締付け金具２７の第１、第２締付けリング２７ａ、２７ｂによって締め付けられて固定される。このため、第１実施形態と同様、腕に対する時計バンドの取付操作性が良く、しかも紐１６を引っ張るときの強さを調節することにより、腕に対する時計バンドのフィット状態を簡単に調節でき、緩んだりせずに時計バンドを腕に良好にフィットさせて取り付けることができる。
【００３０】
また、この時計バンドでは、腕から取り外す際にも、第１実施形態と同様、紐１６を腕時計ケース４側に移動させて締付け金具２７の解除リング２７ｃを露出させ、この解除リング２７ｃを摘んで持ち上げることにより、フック部材２６の後端の取付部２６ｅを引き上げて、先端のフック部２６ｄを支点としてフック部材２６を係合リング１７側に回動させると、第１、第２締付けリング２７ａ、２７ｂによる紐１６の締め付けを簡単に緩めて解除することができる。このため、第１実施形態と同様、フック部材２６を再び元の状態に回動させると、紐１６が緩んだ分だけ、係合リング１７に対するフック部２６ｄの係合に遊びができ、これにより簡単かつ容易にフック部２６ｄを係合リング１７から取り外すことができる。
【００３１】
なお、上記第２実施形態では、締付け金具２７の解除リング２７ｃをフック部材２６の取付部２６ｅに単に取り付けたが、これに限らず、例えば図３（ａ）および図３（ｂ）に示された第１実施形態または図８に示された第１実施形態の変形例のように、解除リング２７ｃまたはフック部材２６の取付部２６ｅの両端に位置規制突起を設け、この位置規制突起で解除リング２７ｃの回動位置を規制するように構成しても良い。
また、上記第２実施形態でも、フック部材２６の後端の取付部２６ｅに解除リング２７ｃを取り付け、この解除リング２７ｃによりフック部材２６を回動させるようにしたが、これに限らず、例えば図９に示した第１実施形態の変形例のように、第１締付けリング２７ａの一端部に解除操作部２３を上方に突出させて一体に形成し、この解除操作部２３を摘んで第１締付けリング２７ａを第２締付けリング２７ｂから離れる方向に回動させることにより、第１、第２締付けリング２７ａ、２７ｂによって締め付けられた紐１６を緩めて解除するように構成しても良い。
【００３２】
［第３実施形態］
次に、図１２〜図１５を参照して、この発明を時計バンドに適用した第３実施形態について説明する。この場合にも、図１〜図７に示された第１実施形態と同一部分には同一符号を付し、その説明は省略する。
この時計バンドは、第１バンド１０の右端部１０ａに取り付けられる紐１６と、この紐１６に取り付けられるフック部材３０およびスライド駒（締付け部材）３１が第１実施形態と異なり、これら以外は第１実施形態とほぼ同様に構成されている。この場合、第１バンド１０は、伸縮しにくい布製で、一重構造になっており、その右端部１０ａに紐１６が取り付けられ、左端部１０ｂに係合リング１７が取り付けられている。すなわち、第１バンド１０の右端部１０ａは、紐１６の一部を包み込んで折り返され、この折り返された部分が第２バンド１１と共に縫合により取り付けられている。また、第１バンド１０の左端部１０ｂは、係合リング１７に挿入されて折り返され、この折り返された部分が縫合により取り付けられ、これにより第２バンド１１に対し自由な状態になっている。
【００３３】
紐１６は、無端形状に形成され、その一部分が第１バンド１０の右端部１０ａに取り付けられ、この右端部１０ａから両側に別れ、その２本が第１バンド１０の右端部１０ａから第２バンド１１の右端部１１ａに延び、この延びた個所が第２バンド１１の右端部１１ａに縫合により取り付けられて折り返されている。
フック部材３０は、第２バンド１１の右端部１１ａに延びた紐１６の先端、つまり紐１６の右側に位置する中間部分に移動可能に取り付けられている。すなわち、このフック部材３０は、図１４に示すように、長方形状の金属板からなり、その先端（同図では右端部）にフック部３０ａが下側に湾曲して折り返されることにより形成され、第２バンド１１の長手方向に沿う両側辺に両側部３０ｂが下側に折り曲げられて形成され、この両側部３０ｂに紐１６が挿通する取付孔３０ｃが設けられた構成になっている。
【００３４】
締付け金具であるスライド駒３１は、図１２および図１３に示すように、第１バンド１０の右端部１０ａと第２バンド１１の右端部１１ａとの間に配置されている。このスライド駒３１には、図１４および図１５に示すように、第１バンド１０の右端部１０ａから第２バンド１１の右端部１１ａに向かう外側の２本の紐１６が図１４において左側から右側に挿通する２つの第１挿通孔３２が両側に位置して設けられ、第２バンド１１の右端部１１ａに縫合により取り付けられて折り返された内側の２本の紐１６が図１４において右側から左側に挿通する２つの第２挿通孔３３が中間部分に位置して設けられている。この場合、第２挿通孔３３を挿通した紐１６は、スライド駒３１でその上方から右側に折り返され、この折り返された紐１６の先端にフック部材３０が取り付けられている。なお、スライド駒３１の両端面には、操作突起３４がそれぞれ側方に突出して設けられている。
【００３５】
このような時計バンドでは、腕に取り付ける際、第１実施形態と同様、第２バンド１１を腕に巻き付けて、第２バンド１１の右端部１１ａと左端部１１ｂとを第２係止部材１５により係合させることにより、第２バンド１１を腕に仮固定する。この状態で、第１バンド１０の左端部１０ｂの係合リング１７に第１バンド１０の右端部１０ａの紐１６に取り付けられたフック部材３０のフック部３０ａを係止させて、スライド駒３１をフック部材３０から離れる方向にスライドさせる。すると、第１挿通孔３２に挿通した外側の２本の紐１６に沿ってスライドするとともに、スライド駒３１で折り返された２本の紐１６が第１バンド１０の右端部１０ａ側に引き寄せられることになり、これによりフック部材３０が引っ張られて、第１バンド１０が第２バンド１１を締め付けて腕にフィットさせ、かつスライド駒３１により紐１６が固定される。このため、第１実施形態と同様、腕に対する時計バンドの取付操作性が良く、しかもスライド駒３１を引き寄せるときの強さを調節することにより、腕に対する時計バンドのフィット状態を簡単に調節でき、緩んだりせずに時計バンドを腕に良好にフィットさせて取り付けることができる。
【００３６】
また、この時計バンドを腕から取り外す際には、スライド駒３１をフック部材３０側に向けてスライドさせると、スライド駒３１がフック部材３０側にスライドした分だけ、スライド駒３１で折り返された２本の紐１６が緩むことになり、このため簡単かつ容易にフック部１８ａを係合リング１７から取り外すことができる。この後は、第２バンド１１の両端部１１ａ、１１ｂを引き離して、第２バンド１１の第２係止部材１５による係合を解除することにより、時計バンドを腕から簡単に取り外すことができる。
このように、この時計バンドでは、第１実施形態と同様、腕に対する着脱操作性が良く、かつ緩んだりせずに腕に良好にフィットさせて取り付けることができ、しかも腕時計ケース４に対するバンド交換が簡単かつ速やかにできるほか、特にスライド駒３１のスライドによりスライド駒３１で折り返された２本の紐１６を引っ張ったり緩めたりする構成であるから、第１実施形態のように、紐１６の先端部分が余ったりせず、そのために必要な紐規制駒２１が不要となり、これにより簡単な構造のものを得ることができる。
【００３７】
なお、上記第３実施形態では、スライド駒３１の第１、第２挿通孔３２、３３に紐１６を単に挿通させた構成であるが、これに限らず、スライド駒３１内にばね部材を設け、このばね部材で操作突起３４を押し出す方向に付勢して紐１６を少なくとも第１挿通孔３２内に挾み付けて固定させ、操作突起３４をばね部材のばね力に抗して押圧した際に紐１６の固定を解除するサイドプッシュ式の構成にしても良い。このようにすれば、より一層、確実に紐１６およびスライド駒３１を固定することができる。
また、上記第１〜第３実施形態では、第２バンド１１に重ね合わされて取り付けられる第１バンド１０に腕時計ケース４が取り付けられるように構成したが、これに限らず、例えば、図１６に示すように、第１バンド１０と第２バンド１１とが重ね合わされて取り付けられるバンド本体Ｔに腕時計ケース４が取り付けられるように構成しても良く、またバンド本体Ｔを第１バンド１０と第２バンド１１とで構成した二重構造の場合について述べたが、これに限らず、第１バンド１０のみで構成しても良い。この場合には、第３実施形態の紐１６の両端を第１バンド１０の途中に縫合により取り付け、この取り付けられた個所から紐１６を第１バンド１０の右端部１０ａに延ばして縫合により取り付けて折り返すようにすれば良い。
さらに、上記第１〜第３実施形態では、腕時計ケース４が取り付けられる時計バンドについて述べたが、これに限らず、例えばアクセサリ、万歩計、方位計などのリスト部品が取り付けられるバンドとしても広く適用することができる。
【００３８】
このように、第１、第２実施形態では、図１〜図１１に示すように、バンド本体（Ｔ）と、このバンド本体の一端部に取り付けられた係合部材（係合リング１７）と、前記バンド本体の他端部に取り付けられた紐部材（紐１６）と、この紐部材に取り付けられて前記係合部材に係脱可能に係止されるフック部材（１８；２６）と、このフック部材を前記係合部材に係止させて前記紐部材を引っ張ることにより締め付け、この状態で前記紐部材の締め付けを緩めて解除する締付け部材（１９；２７）とを備えている。
ここで、前記締付け部材は、図１〜図５に示すように、フック部材の長孔に移動可能に取り付けられた長方形状の第１締付けリング１９ａと、フック部材の長孔に移動可能に取り付けられたＤ字形状の第２締付けリング１９ｂと、フック部材の後端に回動可能に取り付けられた長円形状の解除リング１９ｃとから構成された締付け金具１９である。
または、前記締付け部材は、図１１に示すように、フック部材の上板部と下板部の間に移動可能に取り付けられた長方形状の第１締付けリング２７ａと、フック部材の上板部と下板部の間に移動可能に取り付けられたＤ字形状の第２締付けリング２７ｂと、フック部材の後端の取付部に回動可能に取り付けられた解除リング２７ｃとから構成された締付け金具２７である。
【００３９】
前記バンド本体は、図１、図２、図７、図１２、図１６に示すように、第１バンド１０と、この第１バンド１０の下部位置に重なり合って着脱可能に取り付けられる第２バンド１１とからなり、第１バンドの左端部１０ｂに前記係合部材が取り付けられ、第１バンドの右端部に前記紐部材が取り付けられ、この紐部材に前記フック部材が前記締付け部材を介して取り付けられる。この場合、前記第１バンドには、リスト部品（４）が着脱可能に取り付けられる。
また、前記第２バンドの両端の位置には、図１、図７、図１６に示すように、これら両端を着脱可能に係止させる一対の係止部材（面状ファスナ１２ｂ、１５ａ）を備えている。また、前記第１バンドと前記第２バンドの対向面には、図１、図７に示すように、これらを着脱可能に係止させる一対の係止部材（面状ファスナ１２ａ、１２ｂ）を備えている。
前記バンド本体には、図１、図７、図１６に示すように、リスト部品（４）が着脱可能に取り付られる。前記リスト部品は、図１、図７、図１６に示すように、腕時計４であり、この腕時計に設けられたバンド取付部５、５を介して、前記腕時計が前記第１バンド、または第１バンドと第２バンドとが重なり合ったバンド本体に着脱可能に取り付けられる。
【００４０】
【発明の効果】
以上説明したように、この発明によれば、バンド本体を腕などに取り付ける際には、まず、バンド本体を腕などに配置した上、バンド本体の一端部に設けられた係合部材に、紐部材に取り付けられたフック部材を係止させ、この状態で紐部材を引っ張ることにより、締付け部材が紐部材を締め付けてバンド本体を腕などに取り付けることができるので、簡単にバンド本体を取り付けることができるとともに、腕などに緩んだりせずに良好にフィットさせて取り付けることができ、またバンド本体を取り外す際には、締付け部材により紐部材の締め付けを緩めて解除することにより、簡単に係合部材に対するフック部材の係止を解除することができるので、バンド本体を容易に取り外すことができ、このためバンド本体の着脱操作性が良い。
【図面の簡単な説明】
【図１】この発明の時計バンドの第１実施形態を示した側面図。
【図２】図１の腕時計ケースを取り外した状態の平面図。
【図３】図１のフック部材および締付け金具を示し、（ａ）はその拡大平面図、（ｂ）はその拡大底面図、（ｃ）はその拡大左側面図。
【図４】図３の要部の断面を示し、（ａ）は図３（ａ）のＡ−Ａ断面図、（ｂ）は図３（ａ）のＢ−Ｂ断面図。
【図５】図３のフック部材および締付け金具による紐の締め付け状態を示し、（ａ）は締付け金具の第１、第２締付けリングに紐を通して締め付ける前の状態を示した要部拡大断面図、（ｂ）は締付け金具の第１、第２締付けリングにより紐を締め付けた状態の要部拡大断面図。
【図６】図２の紐規制駒の拡大断面図。
【図７】図１の時計バンドを腕に取り付けた状態を示した図。
【図８】第１実施形態の位置規制部材の変形例を示した図。
【図９】第１実施形態の解除リングに代えて第１締付けリングに解除操作部を設けた解除手段の変形例を示した図。
【図１０】第１実施形態の紐規制部材の変形例を示した図。
【図１１】この発明の時計バンドの第２実施形態におけるフック部材および締付け金具を示し、（ａ）はその拡大平面図、（ｂ）はその拡大左側面図、（ｃ）は（ａ）のＣ−Ｃ断面図。
【図１２】この発明の時計バンドの第３実施形態を示した側面図。
【図１３】図１２の腕時計ケースを取り外した状態の平面図。
【図１４】図１３の要部拡大斜視図。
【図１５】図１４のＤ−Ｄ拡大断面図。
【図１６】第１バンドと第２バンドとが重なり合った状態で腕時計ケースのバンド取付部に取り付けられるバンド本体の変形例を示した図。
【図１７】従来の時計バンドを示した断面図。
【符号の説明】
Ｔ  バンド本体
４  腕時計ケース
１０  第１バンド
１０ａ  第１バンドの右端部
１０ｂ  第１バンドの左端部
１１  第２バンド
１６  紐
１７  係合リング
１８、２６、３０  フック部材
１９、２７  締付け金具
１９ａ、２７ａ  第１締付けリング
１９ｂ、２７ｂ  第２締付けリング
１９ｃ、２７ｃ  解除リング
【図１】
0003947768.tif 000002
【図２】
0003947768.tif 000003
【図３】
0003947768.tif 000004
【図４】
0003947768.tif 000005
【図５】
0003947768.tif 000006
【図６】
0003947768.tif 000007
【図７】
0003947768.tif 000008
【図８】
0003947768.tif 000009
【図９】
0003947768.tif 000010
【図１０】
0003947768.tif 000011
【図１１】
0003947768.tif 000012
【図１２】
0003947768.tif 000013
【図１３】
0003947768.tif 000014
【図１４】
0003947768.tif 000015
【図１５】
0003947768.tif 000016
【図１６】
0003947768.tif 000017
【図１７】
0003947768.tif 000018